(57)【要約】【課題】換気性能に優れ、かつ雨水が小屋裏に侵入するのを防止できる屋根用換気部材１０を提供すること。【解決手段】屋根用換気部材１０によって、換気口１１０ａから順にロアプレート１１の第１通気開口１１ａ、インナープレート１３とロアプレート１１で区画される第１通気空間、インナープレート１３の第３通気開口１３ｅ及びインナープレート１３の第２換気面１３ｃとアッパープレート１２の第１換気面１２ｃで区画される第２通気空間を通り第２通気開口１２ｆからアッパープレート１２の外部へと通じる通気通路Ａを形成する。アッパープレート１２の外部に通じる第２通気開口１２ｆをアッパープレート１２の、野地板１１０に沿って延びる第１換気面１２ｃに形成する。第２通気開口１２ｆの開口面積を大きくできる。そのため、高い換気性能を得ることができる。第２通気開口１２ｆにルーバー１２ｇを設け、ルーバー１２ｇで雨水を跳ね返す。【選択図】図２
2015151724.tif 000002
【特許請求の範囲】
【請求項１】
屋根の野地板に形成された換気口に被せるように設置して、小屋裏空間を換気する屋根用換気部材であって、
アッパープレートと、インナープレートと、サイドプレートと、防虫部材及び野地板に載置されるロアプレートを備え、
ロアプレートの中間部に第１通気開口を形成し、第１通気開口を囲むように止水片を立設し、
アッパープレートがロアプレートに載置して接合された第１接合面と、第１接合面の軒側端部から軒側上方へ傾斜して延びる傾斜面と、傾斜面の軒側端部からロアプレートに沿って軒側へ延びる第１換気面と、第１換気面の軒側端部に垂設した第１立面と、第１立面の下端部から軒側へ延びるとともに、ロアプレートに接合された第２接合面から成り、
第１換気面に第２通気開口を形成し、第２通気開口の内部に第２通気開口の棟側端部から軒側下方へ傾斜して延びるルーバーを垂設し、
第１立面の下端部の複数個所に第１切欠穴を形成し、
インナープレートが傾斜面の裏面に接合された第３接合面と、第３接合面の軒側端部からロアプレート側に折れ曲がった折れ曲がり面と、折れ曲がり面の下端部から第１換気面に沿って延びて第１換気面の裏面に対向する第２換気面と、第２換気面の軒側端部に垂設した第２立面から成り、
第２換気面に第３通気開口を形成し、
第２立面の下端部の複数個所に第２切欠穴を形成するとともに、第２切欠穴を第１切欠穴に対向しないように段違いに配置し、
防虫部材をインナープレートの第２換気面とロアプレートの間に配置し、
サイドプレートをロアプレートとアッパープレートの傾斜面と第１換気面及び第１立面の端部で区画される開口を覆蓋するようにアッパープレートの左右の端部に取り付け、
ロアプレートを野地板に載置することにより、換気口から順にロアプレートの第１通気開口、インナープレートとロアプレートで区画される第１通気空間、第３通気開口及びインナープレートの第２換気面とアッパープレートの第１換気面で区画される第２通気空間を通り第２通気開口からアッパープレートの外部へと通じる通気通路が形成され、
かつ第２通気開口から第３通気開口を通ってインナープレートの内部に侵入した雨水が第２切欠穴と第１切欠穴を通ってアッパープレートの外部へ排出されるようにしたことを特徴とする屋根用換気部材。
【請求項２】
ロアプレートの左右両端部には上向きの第１水返しを形成し、ロアプレートの棟側の端部に上向きの第２水返しを形成し、ロアプレートの軒側の端部に下向きの第３水返しを形成したことを特徴とする請求項１に記載の屋根用換気部材。
【発明の詳細な説明】
【技術分野】
【０００１】
本発明は屋根に設置して家屋の小屋裏を換気する屋根用換気部材に関する。
【背景技術】
【０００２】
屋根用換気部材の一形式として、特許第５２０２４４９号公報には、屋根の野地板に形成された換気口に被せるように設置して、小屋裏空間を換気する屋根用換気部材が開示されている。
【０００３】
この屋根用換気部材は図３に示すように、ロアプレート１００とアッパープレート１０１とサイドプレート１０２及び止水板１０３を備えている。ロアプレート１００の中間部には第１通気開口１００ａが形成され、第１通気開口１００ａの軒側端部に止水片１００ｂが立設されている。アッパープレート１０１は立面１０１ａと平坦な上面１０１ｂから成り、立面１０１ａの下端部が第１通気開口１００ａの棟側上方でロアプレート１００に当接している。上面１０１ｂは立面１０１ａから軒側上方へ傾斜して延びる第１平坦面１０１ｃとロアプレート１００と平行に延びる第２平坦面１０１ｄから成る。サイドプレート１０２はロアプレート１００とアッパープレート１０１の左右両端部で区画形成される開口１０２ａを覆蓋している。そして、ロアプレート１００とアッパープレート１０１及びサイドプレート１０２の軒側端部によって第２通気開口１０４ａが区画形成され、第２通気開口１０４ａにネット状の防虫部材１０４がはめ込まれている。止水板１０３は第２通気開口１０４ａの軒側下方の位置で第２通気開口１０４ａに対向するようにロアプレート１００に立設されている。止水板１０３の上端部は棟側上方に折り曲げられている。
【０００４】
上記した従来の屋根用換気部材は野地板に形成されている換気口に被せるようにして設置される。小屋裏の空気が換気口から第１通気開口１００ａを通って換気部材の内部に流入し、第２通気開口１０４ａから外部へ流出する。一方、雨水は矢印に示すように、止水板１０３で遮られるので、第２通気開口１０４ａを通って換気部材の内部に侵入するのを抑制される。また、止水板１０３を乗り越えた雨水はアッパープレート１０１の平坦面を伝って棟側へ流れる。
【先行技術文献】
【特許文献】
【０００５】
【特許文献１】特許第５２０２４４９号公報
【発明の概要】
【発明が解決しようとする課題】
【０００６】
上記した従来の屋根用換気部材は、第２通気開口１０４ａを通して小屋裏の換気を行うように構成されている。この第２通気開口１０４ａはロアプレート１００とアッパープレート１０１の軒側端部で区画された領域に形成されているが、この領域が狭いため第２通気開口１０４ａの開口面積も自ずと制限される。そのため、換気性能も限定される。
本発明はかかる問題点に鑑み、雨水の小屋裏への侵入を防止できるとともに、高い小屋裏換気を可能とする屋根用換気部材を提供することを目的とする。
【課題を解決するための手段】
【０００７】
請求項１に記載の発明は、屋根の野地板に形成された換気口に被せるように設置して、小屋裏空間を換気する屋根用換気部材であって、
アッパープレートと、インナープレートと、サイドプレートと、防虫部材及び野地板に載置されるロアプレートを備え、
ロアプレートの中間部に第１通気開口を形成し、第１通気開口を囲むように止水片を立設し、
アッパープレートがロアプレートに載置して接合された第１接合面と、第１接合面の軒側端部から軒側上方へ傾斜して延びる傾斜面と、傾斜面の軒側端部からロアプレートに沿って軒側へ延びる第１換気面と、第１換気面の軒側端部に垂設した第１立面と、第１立面の下端部から軒側へ延びるとともに、ロアプレートに接合された第２接合面から成り、
第１換気面に第２通気開口を形成し、第２通気開口の内部に第２通気開口の棟側端部から軒側下方へ傾斜して延びるルーバーを垂設し、
第１立面の下端部の複数個所に第１切欠穴を形成し、
インナープレートが傾斜面の裏面に接合された第３接合面と、第３接合面の軒側端部からロアプレート側に折れ曲がった折れ曲がり面と、折れ曲がり面の下端部から第１換気面に沿って延びて第１換気面の裏面に対向する第２換気面と、第２換気面の軒側端部に垂設した第２立面から成り、
第２換気面に第３通気開口を形成し、
第２立面の下端部の複数個所に第２切欠穴を形成するとともに、第２切欠穴を第１切欠穴に対向しないように段違いに配置し、
防虫部材をインナープレートの第２換気面とロアプレートの間に配置し、
サイドプレートをロアプレートとアッパープレートの傾斜面と第１換気面及び第１立面の端部で区画される開口を覆蓋するようにアッパープレートの左右の端部に取り付け、
ロアプレートを野地板に載置することにより、換気口から順にロアプレートの第１通気開口、インナープレートとロアプレートで区画される第１通気空間、第３通気開口及びインナープレートの第２換気面とアッパープレートの第１換気面で区画される第２通気空間を通り第２通気開口からアッパープレートの外部へと通じる通気通路が形成され、
かつ第２通気開口から第３通気開口を通ってインナープレートの内部に侵入した雨水が第２切欠穴と第１切欠穴を通ってアッパープレートの外部へ排出されるようにしたことを特徴とする。
【０００８】
請求項２に記載の発明は、請求項１に記載の屋根用換気部材において、ロアプレートの左右両端部には上向きの第１水返しを形成し、ロアプレートの棟側の端部に上向きの第２水返しを形成し、ロアプレートの軒側の端部に下向きの第３水返しを形成したことを特徴とする。
【発明の効果】
【０００９】
請求項１に記載の屋根用換気部材によれば、換気口から順にロアプレートの第１通気開口、インナープレートとロアプレートで区画される第１通気空間、第３通気開口及びインナープレートの第２換気面とアッパープレートの第１換気面で区画される第２通気空間を通り第２通気開口からアッパープレートの外部へと通じる通気通路が形成される。
しかして、アッパープレートの外部に通じる第２通気開口をアッパープレートの野地板に沿って延びる第１換気面に形成したので、第２通気開口の開口面積を大きくできる。そのため、高い換気性能を得ることができる。
【００１０】
第２通気開口にルーバーを設けたので、ルーバーで雨水を跳ね返すことができ、アッパープレートの内部に雨水が浸入するのを抑制できる。また、アッパープレートの第１立面に形成した第１切欠穴とインナープレートの第２立面に形成した第２切欠穴を段違いに配置したので、第１切欠穴からアッパープレートの内部に侵入した雨水が、第２切欠穴を通ってインナープレートの内部に浸入するのを、インナープレートの第２立面で遮ることができる。
【００１１】
また、防虫部材をインナープレートの第２換気面とロアプレートの間に配置したので、蜂、蛾等の昆虫が小屋裏に侵入するのを防止できる。
【００１２】
屋根に葺設された瓦が化粧スレート瓦の場合、化粧スレート瓦と野地板の間に屋根用換気部材を設置するスペースが確保できない。その場合、換気口の上の化粧スレート瓦を取り除き、ロアプレートを野地板に載置し、ロアプレートの棟側端部を野地板と、その上に葺設した化粧スレート瓦の間に差し込み、ロアプレートの軒側端部を野地板の上に葺設した瓦の上に載置するように換気部材を設置しても、すなわち換気部材を化粧スレート瓦が葺設された屋根に露出するように設置しても、請求項２に記載の発明によれば、ロアプレートに形成した上向きの第１水返しと第２水返しによって雨水が瓦の裏面側に浸入するのを防止できる。
また、ロアプレートに形成した下向きの第３水返しによって雨水が瓦を伝って瓦の被せられていない野地板にまで侵入するのを防止できる。
【図面の簡単な説明】
【００１３】
【図１】本発明の実施例に係る屋根用換気部材を示す分解斜視図である。
【図２】化粧スレート瓦が葺設された屋根に設置した同換気部材を示す横断面図である。
【図３】従来の屋根用換気部材を示す断面図である。
【実施例１】
【００１４】
以下に本発明を図面に基づき説明する。図１及び図２には本発明の一実施例に係る屋根用換気部材１０が示されている。当該屋根用換気部材１０は、屋根の野地板１１０に形成された換気口１１０ａに被せるように設置して、小屋裏空間１１１を換気するためのものであって、鋼板を所要形状にプレス加工して製作したロアプレート１１とアッパープレート１２とインナープレート１３と左右一対のサイドプレート１４及びネット状の防虫部材１５を備えている。
【００１５】
ロアプレート１１は野地板１１０に載置されるもので、横長の長方形を有し、中間部に横長の第１通気開口１１ａが形成され、第１通気開口１１ａを囲むように止水片１１ｂが立設されている。ロアプレート１１の左右両端部には上向きの第１水返し１１ｃが折り曲げ加工され、棟側の端部にも上向きの第２水返し１１ｄが折り曲げ加工されている。また、ロアプレート１１の軒側の端部には下向きの第３水返し１１ｅが折り曲げ加工されている。
【００１６】
アッパープレート１２は台形の横断面形状を有するとともに、ロアプレート１１に収まるサイズの平面形状を有している。このアッパープレート１２はロアプレート１１に載置して接合された第１接合面１２ａと、第１接合面１２ａの軒側端部から軒側上方へ傾斜して延びる傾斜面１２ｂと、傾斜面１２ｂの軒側端部からロアプレート１１に沿って軒側へ延びる第１換気面１２ｃと、第１換気面１２ｃの軒側端部に垂設した第１立面１２ｄと、第１立面１２ｄの下端部から軒側へ延びるとともに、ロアプレート１１に接合された第２接合面１２ｅから構成されている。
【００１７】
アッパープレート１２の第１換気面１２ｃには横長の第２通気開口１２ｆが３箇所に形成され、各第２通気開口１２ｆが互いに平行に配置されている。各第２通気開口１２ｆの内部には第２通気開口１２ｆの棟側端部からルーバー１２ｇが垂設されている。ルーバー１２ｇは第２通気開口１２ｆの棟側端部から軒側下方へ傾斜して延びている。また、第１立面１２ｄの下端部の２個所に第１切欠穴１２ｈが形成されている。
【００１８】
インナープレート１３はアッパープレート１２の傾斜面１２ｂの裏面に接合された第３接合面１３ａと、第３接合面１３ａの軒側端部からロアプレート１１側に折れ曲がった折れ曲がり面１３ｂと、折れ曲がり面１３ｂの下端部からアッパープレート１２の第１換気面１２ｃに沿って延びて第１換気面１２ｃの裏面に対向する第２換気面１３ｃと、第２換気面１３ｃの軒側端部に垂設した第２立面１３ｄから構成されている。
【００１９】
インナープレート１３の第２換気面１３ｃの３箇所に横長の第３通気開口１３ｅが形成されている。各第３通気開口１３ｅは第２換気面１３ｃの軒側端部に沿って一列に配列されている。インナープレート１３の第２立面１３ｄの下端部の３個所に第２切欠穴１３ｆが形成されている。各第２切欠穴１３ｆはアッパープレート１２の第１立面１２ｄに形成された第１切欠穴１２ｈに対向しないように段違いに配置されている。
【００２０】
サイドプレート１４はロアプレート１１とアッパープレート１２の傾斜面１２ｂと第１換気面１２ｃ及び第１立面１２ｄの端部で区画される開口を覆蓋するようにアッパープレート１２の左右の端部に取り付けられている。
【００２１】
防虫部材１５はプラスチック成形品で内部に換気部材１０の幅方向に延びる多数の通孔が形成された芯材１５ａを備え、芯材１５ａの通孔を覆うようにネット１５ｂが張り付けられている。防虫部材１５は上面がインナープレート１３の第２換気面１３ｃに接着され、下面がロアプレート１１に接着されている。
【００２２】
本実施例に係る屋根用換気部材１０の構成は以上の通りであり、この屋根用換気部材１０を化粧スレート瓦１１２が葺設された屋根に設置する場合、化粧スレート瓦１１２が薄いため化粧スレート瓦１１２と野地板１１０の間に屋根用換気部材１０を設置するスペースが確保できない。そこで、野地板１１０に形成された換気口１１０ａを覆う化粧スレート瓦１１２を取り除き、ロアプレート１１の第１通気開口１１ａが換気口１１０ａに対向するように喚起部材１０を野地板１１０に載置する。そして、ロアプレート１１の棟側端部を野地板１１０と、その上に葺設した化粧スレート瓦１１２の間に差し込み、ロアプレート１１の軒側端部を野地板１１０の上に葺設した化粧スレート瓦１１２の上に載置する。そして、釘１６で野地板１１０に固定する。このようにして、換気部材１０を化粧スレート瓦１１２が葺設された屋根に露出するように設置する。
【００２３】
以上のように屋根用換気部材１０を設置すると、換気口１１０ａから順にロアプレート１１の第１通気開口１１ａ、インナープレート１３とロアプレート１１で区画される第１通気空間、インナープレート１３の第３通気開口１３ｅ及びインナープレート１３の第２換気面１３ｃとアッパープレート１２の第１換気面１２ｃで区画される第２通気空間を通り第２通気開口１２ｆからアッパープレート１２の外部へと通じる通気通路Ａが形成される。
【００２４】
本実施例に係る屋根用換気部材１０によれば、アッパープレート１２の外部に通じる第２通気開口１２ｆをアッパープレート１２の、野地板１１０に沿って延びる第１換気面１２ｃに形成したので、第２通気開口１２ｆの開口面積を大きくできる。そのため、高い換気性能を得ることができる。
【００２５】
第２通気開口１２ｆにルーバー１２ｇを設けたので、ルーバー１２ｇで雨水を跳ね返すことができ、アッパープレート１２の内部に雨水が浸入するのを抑制できる。また、第２通気開口１２ｆと第３通気開口１３ｅを通ってインナープレート１３の内部に進入した雨水は矢印Ｂで排水路を示すように、アッパープレート１２の第１立面１２ｄに形成した第１切欠穴１２ｈとインナープレート１３の第２立面１３ｄに形成した第２切欠穴１３ｆを通って外部に排出できる。また、第１切欠穴１２ｈと第２切欠穴１３ｆを段違いに配置したので、第１切欠穴１２ｈからアッパープレート１２の内部に侵入した雨水が、第２切欠穴１３ｆを通ってインナープレート１３の内部に浸入し、さらに小屋裏１１１へ侵入するのを、インナープレート１３の第２立面１３ｄで遮ることができる。
【００２６】
また、防虫部材１５をインナープレート１３の第２換気面１３ｃとロアプレート１１の間に配置したので、蜂、蛾等の昆虫が小屋裏１１１に侵入するのを防止できる。
【００２７】
ロアプレート１１に形成した上向きの第１水返し１１ｃと第２水返し１１ｄによって雨水が化粧スレート瓦１１２の裏面側に浸入するのを防止できる。
また、ロアプレート１１に形成した下向きの第３水返し１１ｅによって雨水が化粧スレート瓦１１２を伝って瓦の被せられていない野地板１１０にまで侵入するのを防止できる。
【００２８】
なお、本実施例では、屋根用換気部材１０を化粧スレート瓦１１２が葺設された屋根に設置する場合について説明したが、この屋根用換気部材１０は陶器瓦を葺設した屋根に設置することもできる。この場合は図３に示した従来の屋根用換気部材１０と同様に、葺設された陶器瓦と野地板との間のスペースに設置できるので、換気部材１０は陶器瓦に隠されて屋根に露出しない。また、この場合、ロアプレート１１、アッパープレート１２の第１接合面１２ａ及び第２接合面１２ｅの長さを実施例に比べて短くしても良い。
【符号の説明】
【００２９】
１０…屋根用換気部材
１１…ロアプレート
１１ａ…第１通気開口
１１ｂ…止水片
１１ｃ…第１水返し
１１ｄ…第２水返し
１２…アッパープレート
１２ａ…第１接合面
１２ｂ…傾斜面
１２ｃ…第１換気面
１２ｄ…第１立面
１２ｅ…第２接合面
１２ｆ…第２通気開口
１２ｇ…ルーバー
１２ｈ…第１切欠穴
１３…インナープレート
１３ａ…第３接合面
１３ｂ…折れ曲がり面
１３ｃ…第２換気面
１３ｄ…第２立面
１３ｅ…第３通気開口
１３ｆ…第２切欠穴
１４…サイドプレート
１５…防虫部材
１１０…野地板
１１０ａ…換気口
１１１…小屋裏
１１２…化粧スレート瓦
Ａ…通気通路
Ｂ…排水路
【図１】
2015151724.tif 000003
【図２】
2015151724.tif 000004
【図３】
2015151724.tif 000005